(57)【要約】【課題】過剰な温度上昇を抑制してとり木部の焼けが防止でき、低コストでとり木部への取り付けが容易且つ強固にできるとり木用具を提供する。【解決手段】とり木部２０の幹とほぼ平行な仕切り部１３で小袋に仕切られた通気性とり木用土袋１の小袋１１，１２にとり木用土２が充填され、シルバーマルチフィルム３と透明ＰＥフィルム４が連結部６で上下に連結されて被覆フィルム５を形成し、とり木用土袋１の一側端と被覆フィルム５とは連結部分６の高さがとり木用土袋１の高さの中間に位置するように連結され、シルバーマルチフィルム３と透明ＰＥフィルムには連結部６とほぼ平行方向に切り込み３１，４１が入れられており、被覆フィルム５・シルバーマルチ３・透明ＰＥフィルム４のとり木用土袋１から離隔した部分およびシルバーマルチフィルム３の裏面角部に離型紙で被覆された粘着テープ７、８、９、１０が貼着されていて、粘着テープ７の長さは取り木用土袋１の高さＨとほぼ同程度のとり木用具。【選択図】図１
0003147927.tif 000002
【実用新案登録請求の範囲】
【請求項１】
（１）とり木部の幹または枝とほぼ平行方向の仕切り部で複数個の小袋に仕切られた、通気性を有する樹脂フィルム製のとり木用土袋の各小袋にとり木用土が充填され、
（２）不透水性で遮光性ないし半遮光性樹脂フィルムと透明で通気性を有する樹脂フィルムとが上下に連結されて被覆フィルムとされ、上記とり木用土袋の一側端と上記被覆フィルムの一側端は、不透水性で遮光性ないし半遮光性フィルムの連結部がとり木用土袋の高さの中間に位置するように連結され、不透水性で遮光性ないし半遮光性樹脂フィルムおよび透明で通気性を有する樹脂フィルムにはそれぞれ上記連結部とほぼ平行方向に切りこみが入れられており、
（３）▲１▼とり木用土袋が連結されている被覆フィルムのとり木用土袋から離隔した部分、▲２▼不透水性で遮光性ないし半遮光性樹脂フィルムのとり木用土袋から離隔した部分、▲３▼透明で通気性を有する樹脂フィルムのとり木用土袋から離隔した部分のそれぞれに、剥離層を有する粘着テープが貼着されているとともに、▲４▼不透水性で遮光性ないし半遮光性樹脂フィルムの他の面の上端部にも剥離層を有する粘着テープが貼着されていて、上記▲１▼の部分に貼着されている粘着テープの長さは、とり木用土袋の高さとほぼ同程度のものである、
ことを特徴とするとり木用具。
【考案の詳細な説明】
【考案の詳細な説明】
【技術分野】
【０００１】  本考案は木の幹や枝の一部から発根させ、親株から切り離して新しい苗木にする繁殖法であるとり木に使用されるとり木用具に関するものである。【０００２】  木の幹や枝の一部から発根させ、親株から切り離して新しい苗木にする繁殖法方法として、幹や枝の一部を剥皮し、剥皮部を保護して発根させるとり木という方法が行われている。とり木は、剥皮部（とり木部）の周囲に、ミズゴケ、赤玉土、鹿沼土、炭、パーライトなどのとり木用土を団子状にしてあてがい、とり木用土を湿潤状態に保っておけるようにその外側を不透水性の合成樹脂フィルムで覆って、周囲をひも、針金、縄などの緊締具で縛り固定するものであって、とり木に用いられる用具としては、本考案者が提案した実願２００６−１０６９７号（実用新案登録第３１３０１０６号、以下Ｕ３１３０１０６と記す）がある。【０００３】  Ｕ３１３０１０６のとり木用具（以下図２参照）は、とり木部ｘの幹または枝とほぼ平行方向の仕切り部ｂで複数の小袋ｃ，ｄに仕切られた通気性を有するとり木用土袋ａの各小袋ｃ，ｄにとり木用土が充填され、不透水性で遮光性のシルバーマルチフィルムｅと通気性を有し透明なＰＥフィルムｆが連結部分ｇで上下に連結されて被覆フィルムｈとされ、とり木用土袋ａの一側端と被覆フィルムｈの一側端は連結部分ｇの高さがとり木用土袋ａの高さの中間に位置するように連結されていて、被覆フィルムｈの裏面のとり木用土袋ａから隔たった部分に粘着テープｊが貼着され、粘着テープｊには離型紙ｋが未剥離のまま貼着されており、粘着テープｊが貼着されていない表面の、とり木用土袋ａの上端より高い位置に結束バンドｍ、とり木用土袋ａの下端より低い位置に結束バンドｎがとりつけられているものである。【０００４】  上記のとり木用具をとり木部にとりつける場合、被覆フィルムｈの裏面を内側にして、とり木用土袋ａをとり木部ｘにあてがい、被覆フィルムｈをとり木用土袋ａの上から巻きつけながら、とり木部ｘの周囲を覆う。次いで離型紙ｋを剥がして粘着テープｊの粘着面を露出させ、先に巻きつけた被覆フィルムｈに粘着させ仮止めする。次いで被覆フィルムｈの上下の結束バンドｍ，ｎをそれぞれねじり合わせて縛り固定する。最後に被覆フィルムｈを垂らしてとり木用土袋ａを被覆する。【０００５】  上記のとり木用具は、とり木部ｘへのとり木用土袋ａの巻きつけや固定が容易で、またとり木部ｘに取りつけた後にとり木部ｘの発根状態を容易に観察することができ、とり木部ｘの日射の強さや水分の蒸発を調節することによって、とり木部ｘの焼けを防止することができる。【０００６】  しかるに、このとり木用具を造る場合、結束バンドｍ，ｎを別に用意するとともに、溶着などの手段で被覆フィルムｈにとりつけることが必要であり、手間がかかる。またとり木用具を実際にとり木部ｘにとりつけようとすると、とり木用土袋ａと被覆フィルムｈとを一旦仮止めし、次いで結束バンドｍ，ｎを縛って固定しなければならず、作業が複雑且つ面倒でやりにくく、固定も不安定となりやすいという問題があった。
【考案の開示】
【考案が解決しようとする課題】
【０００７】  本考案はこのような従来技術の問題点を改良するためのもので、材料の種類を減らし、製造の手間がより簡単でコストが安く、しかもとり木作業がより簡単で容易なとり木用具を提供することを課題とするものである。
【課題を解決するための手段】
【０００８】  本考案のとり木用具は、
（１）とり木部の幹または枝とほぼ平行方向の仕切り部で複数個の小袋に仕切られた、通気性を有する樹脂フィルム製のとり木用土袋の各小袋にとり木用土が充填され、
（２）不透水性で遮光性ないし半遮光性樹脂フィルムと透明で通気性を有する樹脂フィルムとが上下に連結されて被覆フィルムとされ、上記とり木用土袋の一側端と上記被覆フィルムの一側端は、不透水性で遮光性ないし半遮光性フィルムの連結部がとり木用土袋の高さの中間に位置するように連結され、不透水性で遮光性ないし半遮光性樹脂フィルムおよび透明で通気性を有する樹脂フィルムにはそれぞれ上記連結部とほぼ平行方向の切りこみが入れられており、
（３）▲１▼とり木用土袋が連結されている被覆フィルムのとり木用土袋から離隔した部分、▲２▼不透水性で遮光性ないし半遮光性樹脂フィルムのとり木用土袋から離隔した部分、▲３▼透明で通気性を有する樹脂フィルムのとり木用土袋から離隔した部分のそれぞれに、剥離層を有する粘着テープが貼着されているとともに、▲４▼不透水性で遮光性ないし半遮光性樹脂フィルムの他の面の上端部にも剥離層を有する粘着テープが貼着されていて、上記▲１▼の部分に貼着されている粘着テープの長さは、とり木用土袋の高さ（図１にＨで示す）とほぼ同程度のものである。【０００９】  ここに言う遮光性ないし半遮光性フィルムは、光を遮断する性能（遮光性）を厳密に規定したものでなくてよく、農業用に用いられる黒マルチフィルムあるいはシルバーマルチフィルムなどでよい。
剥離層を有する粘着テープとしては、粘着層の表面に離型紙が未剥離のまま残されているものが挙げられる。
【考案の効果】
【００１０】  本考案のとり木用具は上記のような構成であるから、Ｕ３１３０１０６に示す結束バンドのような緊締具を別途必要とせず、またその取り付けも不要で手間がかからず、コストを安くすることができる。【００１１】  またとり木用土袋をとり木部に取り付けるに当っては、Ｕ３１３０１０６の場合のようにとり木用土袋を一旦仮止め後に緊締具を結んで取り付けるような面倒がなく、とり木用土袋を被覆フィルムなどに固定する直前に離型紙（剥離層）を剥がし、相手側へ押しつけるだけでよいので、作業が簡単・容易である。
更に、不透水性で遮光性ないし半遮光性樹脂フィルムおよび透明で通気性を有する樹脂フィルムには連結部とほぼ平行方向に切りこみがなされているので、不透水性で遮光性ないし半遮光性樹脂フィルムの部分、透明で通気性を有する樹脂フィルムの部分、これら両者が連結されている被覆フィルムの部分と、別々に引っ張ってとり木部に取り付けることができる。その際、上記▲１▼の部分に貼着されている粘着テープの長さはとり木用土袋の高さとほぼ等しく、▲２▼▲３▼▲４▼のような他の部分の粘着テープより長いので、とり木用土袋の重量を最も多く支えなければならない▲１▼の部分を、他の部分よりもしっかりと固定することができる。【００１２】  とり木部の発根状態を観察する場合、指先で▲４▼の部分の粘着テープを剥がし、不透水性で遮光性ないし半遮光性フィルムの部分をまくり上げることによって、とり木用土袋の外からとり木部を容易に観察することができる。
そしてとり木部に焼けの兆候が観察されれば、不透水性で遮光性ないし半遮光性樹脂フィルムの部分を垂らし、日射をさえぎって温度と水分の蒸発を調節することで、とり木部の焼けを防止することができる。
【考案を実施するための最良の形態】
【００１３】  とり木用土袋としては、厚さ０．０３ｍｍ乃至０．０５ｍｍのポリエチレン（ＰＥ）製のものが良好であるが、植物性樹脂などを用いて造られた光分解性樹脂フィルム製のものがより好ましい。
とり木用土袋には微細な通気孔が多数穿設されていて通気性を有し、とり木部の幹や枝とほぼ平行方向に溶着された溶着部あるいは縫合部により複数の小袋に仕切られ、各小袋にはとり木用土が充填されている。
なお、仕切り部の数あるいは小袋部分の数は、とり木部の大きさやとり木用土の量などによって変えることができる。【００１４】  不透水性で遮光性ないし半遮光性フィルムとしては、厚さ０．０３ｍｍ乃至０．１ｍｍのＰＥ製黒マルチフィルムまたはシルバーマルチフィルムといわれているものが好適である。不透水性で遮光性ないし半遮光性フィルムは、とり木用土袋の周囲および上下を包みこむことができる大きさのものとする。透明で通気性を有するフィルムは、厚さ０．０３ｍｍ乃至０．１ｍｍのＰＥ製または軟質ＰＶＣ製のものが好適である。【００１５】  とり木用土袋と不透水性で遮光性ないし半遮光性フィルムとの連結、および不透水性で遮光性ないし半遮光性フィルムと透明で通気性を有するフィルムとの連結は溶着あるいは粘着テープによる接着接合が好適である。
なお、不透水性で遮光性ないし半遮光性フィルム、および透明で通気性を有する樹脂フィルムに入れる切り込みの位置はとり木用土袋の上下位置とほぼ同程度が好ましく、それらの長さはとり木用具の取り付け作業のしやすさにより適切な長さとすればよい。
【実施例】
【００１６】  以下添付図面に従って、請求項１記載の本考案の一実施例を説明する（図１参照）。
とり木用土袋１は微細な通気孔（図示せず）が多数穿設された厚さ０．０５ｍｍの透明ＰＥ製で、とり木部２０の幹や枝とほぼ平行方向に溶着された溶着部１３により縦方向の小袋１１、１２に仕切られていて、各小袋１１，１２にはとり木用土２が充填され、それぞれ独立にシールされている。【００１７】  ３は厚さ０．０５ｍｍのシルバーマルチフィルム（以下「シルバーマルチ」と称する）、４は透明ＰＥフィルムで微細な通気孔（図示せず）が多数穿設されていて通気性を有する。
シルバーマルチ３と透明ＰＥフィルム４は上下に溶着され連結されて被覆フィルム５を形成し、シルバーマルチ３と透明ＰＥフィルム４の上下方向の連結部６はとり木用土袋１の高さのほぼ中間に位置するように溶着されているとともに、とり木用土袋１の一側端は被覆フィルム５の一側端に溶着・連結されている。
なお、図１に実線で示す例では、とり木用土袋の位置は被覆フィルム５と重なっているが、図１に２点鎖線で示すように、被覆フィルム５と重ならないようにその外側に連結されていてもよい。【００１８】  シルバーマルチ３には、上下方向の連結部６とほぼ平行方向に切り込み３１が入れられている。同様にして透明ＰＥフィルム４にも、連結部６とほぼ平行方向に切り込み４１が入れられていて、シルバーマルチ３と透明ＰＥフィルム４は連結部６によって３３と４３の部分が連結されている。切り込み３１、４１の位置および長さは、とり木用具取り付けのしやすさによって適宜変えることができる。【００１９】  被覆フィルム５のとり木用土袋１が連結されている面（内面と称する）５１の、とり木用土袋１から離隔した部分に７、シルバーマルチ３のとり木用土袋１から離隔した部分に８、透明ＰＥフィルム４のとり木用土袋１から離隔した部分に９の粘着テープが貼着されていて、それぞれ離型紙７１、８１、９１がそのまま剥がされずに残されている。またシルバーマルチ３のとり木用土袋１が連結されていない他の面（外面と称する）５２の上端部にも粘着テープ１０が貼着され、同様に離型紙１０１が剥がされずに残されている。ここで、粘着テープ７の長さはとり木代用土袋の高さＨとほぼ同程度であり、他の粘着テープ８、９、１０よりも長い。【００２０】  次に、本考案とり木用具の使用態様について説明する（図１参照）。
被覆フィルム５の内面５１を内側にして、とり木用土袋１をとり木部（剥皮部）２０にあてがい、被覆フィルム５の連結部６の部分、すなわち３３と４３の部分を矢印Ａのように引っ張ってとり木部２０のまわりに巻きつける。次いでシルバーマルチ３をほぼ切り込み３１の部分で外側へ折り曲げて垂らし、透明ＰＥフィルム３の周囲を覆い、離型紙７１を剥がして、先に巻きつけた被覆フィルム５に押し当てて粘着させ固定する。これでとり木用土袋１の重量の大部分が支持される。【００２１】  次いで、透明ＰＥフィルム４の切り込み４１の下の部分（４２の部分）を引っ張り、離型紙９１を剥がし透明ＰＥフィルム４に粘着させて固定する。これによりとり木用土袋１は下方へずれないようにしっかりと支持される。【００２２】  同様にして、シルバーマルチ３の切り込み３１の上の部分（３２の部分）を引っ張り、離型紙８１を剥がしてシルバーマルチ３に粘着させる。これによりとり木用土袋１はその主要部分と上下の部分が支えられ、ずれることなく支持・固定される。
最後に、離型紙１０１を剥がし、シルバーマルチ３を透明ＰＥフィルム４に粘着させて被覆する。【００２３】  とり木部２０の発根状態などを観察したい場合，指先で粘着テープ１０を剥がし、被覆フィルム５のシルバーマルチ３の部分をまくり上げて、とり木用土袋１の外から観察することができる。観察の結果とり木部に焼けの兆候が見られる場合には、シルバーマルチ３の部分を垂らして日射を調節したり、とり木部２０の過剰な温度上昇と水分の蒸発を抑制したりすることによって、とり木部２０の焼けを防止することができる。
【図面の簡単な説明】
【００２４】
【図１】  本考案とり木用具の説明図である。  （１）正面図  （２）一部拡大上面図
【図２】  従来技術の説明図である。  （１）正面図  （２）一部拡大上面図
【符号の説明】
【００２５】１                        とり木用土袋
１１，１２              小袋
１３                    仕切り部
２                        とり木用土
３                        シルバーマルチフィルム
４                        透明ＰＥフィルム
５                        被覆フィルム
５１                      被覆フィルムの内面
５２                      被覆フィルムの外面
６                      （シルバーマルチフィルムと透明ＰＥフィルムの）連結部
７，８，９，１０        両面粘着テープ
７１，・・・，１０１    離型紙
２０                      とり木部
Ｈ                      とり木用土袋の高さ
【図１】
0003147927.tif 000003
【図２】
0003147927.tif 000004